(57)【特許請求の範囲】
【請求項１】
長身部と短身部からなるつると、
上端面に前記つるを挿入するための長身部用挿入穴及び短身部用挿入穴を有し、内部に施錠、解錠操作によって前記つるの移動規制をなすシリンダーを備え、下端面に前記シリンダーの鍵孔が配置された錠本体と、
該錠本体に設けられて前記鍵孔を閉塞するカバーアッシーと、
該カバーアッシーを付勢する捻りバネとを備え、
前記シリンダーは、少なくとも一つのチェンジキーによって、該チェンジキーの数分だけキーコードの変更が可能となり、
前記錠本体は、前記下端面に前記長身部用挿入穴と連通する挿通孔を有するとともに、前記内部に前記シリンダーが収容固定されるシリンダ収容室を有し、
前記カバーアッシーは、前記挿通孔に回動可能に挿通されるシャフトと、該シャフトに連成され前記シャフトを中心に回動して前記鍵孔を露出させる位置と前記鍵孔を閉塞する位置との間で前記下端面に沿って移動するカバー本体とを有し、
前記錠本体の前記下端面は、前記上端面側に少なくとも前記カバー本体の厚み分だけ窪んだ段部を有し、
該段部の縁部は、前記段部に前記挿通孔とともに形成された前記シリンダ収容室の開口の縁部の一部に沿って形成され、
前記捻りバネは、前記長身部用挿入穴に挿入されてその一端が前記錠本体に当接又は係止されるとともに、そのコイル部に前記挿通孔を介して前記長身部用挿入穴に突出する前記シャフトが挿通されてその他端が前記シャフトに当接又は係止されて、前記カバー本体を前記段部の縁部に当接させて前記鍵孔を閉塞する位置に復帰させ保持するように前記カバーアッシーを付勢する
ことを特徴とする可変コード型南京錠。
【発明の詳細な説明】
【０００１】
【発明の属する技術分野】
本発明は、チェンジキーによってキーコードの変更が可能となるシリンダーを備えた可変コード型南京錠に関する。
【０００２】
【従来の技術】
従来、南京錠は一般的に、箱形に形成された錠本体と、その錠本体の上端面に挿入され施錠、解錠操作により移動が規制される逆Ｊ字形のつるとを備えて構成されている。また、錠本体の内部には、シリンダーが収容されている。シリンダーの鍵孔は、錠本体の下端面に露出するように配置されており、その鍵孔にキーを挿し込んで回動操作することで南京錠の施錠、解錠がなされるようになっている。
【０００３】
南京錠は、ホームセンターなどの店舗で市販されるような一つのキーと一対一で対応する一般的なものから、例えば鉄道会社の保線区内の保守管理に使用されるような一つのキーで数百〜数千個に対応させるものまで、幅広く用いられている。
【０００４】
【発明が解決しようとする課題】
ところで、上述した保守管理に用いられる南京錠は、同一キーでその保線区内の全ての南京錠の施錠、解錠を行うようになっていることから、キーを紛失してしまうと多大なる影響を来してしまうことになる。
【０００５】
即ち、保線区内の保守管理用の南京錠は、防犯上、上記キーに対するスペアキーを使用して対処することができないので、全て取り替える必要があり、そのため、取り替えに係る費用の面と、取り替え用の南京錠が製造納入されるまでの間の警備面とで、負担が大きくなってしまうことになる（数百〜数千個の南京錠であるので当然に負担が大きくなる）。
【０００６】
尚、保線区内に限ることではないが、南京錠を特に屋外で使用する場合、南京錠は、シリンダーの鍵孔が露出していることから、その鍵孔を介して埃や水分が浸入しやすく、シリンダーの作動や南京錠自体の耐久性に影響を来してしまう恐れがあるので、この点も合わせて改善することが好ましいと言える。
【０００７】
本発明は、上述した事情に鑑みてなされるもので、キーを紛失しても防犯上何ら問題なく使用し続けることができ、また、耐久性の向上も図ることができる可変コード型南京錠を提供することを課題とする。
【０００８】
【課題を解決するための手段】
上記課題を解決するためなされた請求項１記載の本発明の可変コード型南京錠は、長身部と短身部からなるつると、上端面に前記つるを挿入するための長身部用挿入穴及び短身部用挿入穴を有し、内部に施錠、解錠操作によって前記つるの移動規制をなすシリンダーを備え、下端面に前記シリンダーの鍵孔が配置された錠本体と、該錠本体に設けられて前記鍵孔を閉塞するカバーアッシーと、該カバーアッシーを付勢する捻りバネとを備え、前記シリンダーは、少なくとも一つのチェンジキーによって、該チェンジキーの数分だけキーコードの変更が可能となり、前記錠本体は、前記下端面に前記長身部用挿入穴と連通する挿通孔を有するとともに、前記内部に前記シリンダーが収容固定されるシリンダ収容室を有し、前記カバーアッシーは、前記挿通孔に回動可能に挿通されるシャフトと、該シャフトに連成され前記シャフトを中心に回動して前記鍵孔を露出させる位置と前記鍵孔を閉塞する位置との間で前記下端面に沿って移動するカバー本体とを有し、前記錠本体の前記下端面は、前記上端面側に少なくとも前記カバー本体の厚み分だけ窪んだ段部を有し、該段部の縁部は、前記段部に前記挿通孔とともに形成された前記シリンダ収容室の開口の縁部の一部に沿って形成され、前記捻りバネは、前記長身部用挿入穴に挿入されてその一端が前記錠本体に当接又は係止されるとともに、そのコイル部に前記挿通孔を介して前記長身部用挿入穴に突出する前記シャフトが挿通されてその他端が前記シャフトに当接又は係止されて、前記カバー本体を前記段部の縁部に当接させて前記鍵孔を閉塞する位置に復帰させ保持するように前記カバーアッシーを付勢することを特徴としている。
【００１０】
請求項１に記載された本発明によれば、仮に通常使用しているキーを紛失してしまったとしても、シリンダーのキーコードを変更すればよく、チェンジキーの数分だけキーコードの変更が可能であることから、その数までは可変コード型南京錠自体を取り替える必要はない。また、キーコードの変更は、チェンジキーにより短時間で処置できるようになるから、警備面での負担が大幅に軽減されることになる。
【００１１】
また、カバー部材によって埃や水分の浸入が阻止されるので、屋外でも長く使用することができるようになる。
【００１２】
【発明の実施の形態】
以下、図面を参照して本発明の一実施の形態を説明する。
図１は本発明の可変コード型南京錠の一実施の形態を示す図面であり、（ａ）は可変コード型南京錠の平面図、（ｂ）は可変コード型南京錠の正面図、（ｃ）は可変コード型南京錠の左側面図、（ｄ）は可変コード型南京錠の右側面図、（ｅ）は可変コード型南京錠の底面図である。
また、図２は図１（ａ）のＡ−Ａ線断面図、図３は図２のシリンダーの断面図、図４は図２のＣ−Ｃ線断面図、図５は図２のＤ−Ｄ線断面図、図６は図１（ｂ）のＥ−Ｅ線断面図を示している。さらにまた、図７はカバーアッシーを示す図面であり、（ａ）は正面図、（ｂ）は側面図、（ｃ）は背面図を示している。
【００１３】
図１（ａ）ないし図１（ｅ）のいずれかにおいて、引用符号１１で示される可変コード型南京錠は、逆Ｊ字形（この形状に限定されるものではない）のつる１２と、そのつる１２の長身部１３及び短身部１４をそれぞれ上端面１５に挿入するとともに、下端面１６に鍵孔１７を配置した錠本体１８と、鍵孔１７を閉塞するカバーアッシー１９（特許請求の範囲に記載したカバー部材に相当）と、そのカバーアッシー１９を付勢する捻りバネ２０（特許請求の範囲に記載したバネに相当）とを備えており、鍵（後述する一般キーＫ、第一のチェンジキーＣＫ１…の総称）が鍵孔１７から引き抜かれた状態において、カバーアッシー１９が常に鍵孔１７の閉塞位置に復帰するように構成されている。また、錠本体１８の内部には、キーコードを変更することが可能なシリンダー２６（図２及び図３参照）が設けられており、上記鍵の紛失の際に、即座に防犯対応することができるようになっている。
【００１４】
以下に各構成の具体的な説明を記すことにする。
【００１５】
上記つる１２は、長身部１３と短身部１４とから成り、図２に示される如く、相対向する位置に曲面凹部２１、２２がそれぞれ形成されている。また、長身部１３には、曲面凹部２１よりも端部側に頸部２３が形成されている。頸部２３及び曲面凹部２１間には、摺動面２４が設けられている。
【００１６】
上記錠本体１８は、図２に示される如く、ケース２５と、シリンダー２６と、ジョイント２７と、ジョイントリテーナ２８と、ストッパピン２９と、ボール３０と、ベリメタル３１、３１とを備えて構成されている。
【００１７】
ケース２５は、断面視略楕円形状の箱型に形成されており、その上端面１５には、つる１２の長身部１３及び短身部１４がそれぞれ挿入される長身部用挿入穴３２及び短身部用挿入穴３３が形成されている。また、下端面１６には、上端面１５側に向けて窪む（少なくとも後述するカバー本体５２の厚み分窪ませるのが好ましい）段部３４が形成されており、その段部３４に挿通孔３５とシリンダー収容室３６とが形成されている。なお、段部３４の縁部３４ａは、図８に示されるように、段部３４に挿通孔３５とともに形成されたシリンダ収容室３６（図２参照）の開口３６ａの縁部の一部に沿って形成されている。
【００１８】
挿通孔３５は、長身部用挿入穴３２に連通しており、シリンダー収容室３６には、短身部用挿入穴３３に連成されたねじ孔３７が連通するようになっている。また、シリンダー収容室３６には、ジョイント２７が挿入されるジョイント用ガイド穴３８が連成されている。
【００１９】
一方、ケース２５の一側面３９には、第一横穴４０と第二横穴４１とが形成されている。第一横穴４０は、長身部用挿入穴３２を貫通して短身部用挿入穴３３まで達しており、第二横穴４１は、長身部用挿入穴３２に連通している。また、一側面３９には、長身部用挿入穴３２と挿通孔３５との境界近傍に連通するバネ係止孔４２が形成されている。
【００２０】
尚、挿通孔３５は、長身部用挿入穴３２よりも短径に形成されている。また、同様に、バネ係止孔４２は挿通孔３５よりも短径に形成されている。
【００２１】
シリンダー２６は、下部に下端面１６の段部３４に露出する鍵孔１７が備えられており、上部には、ねじ孔３７に挿通されるねじ４３が螺合するようになっている（ねじ４３が螺合することでシリンダー２６がシリンダー収容室３６に収容固定されることになる）。また、シリンダー２６の上部には、ジョイント２７の下部が係合しており、鍵孔１７を介して挿入された上記鍵（後述する一般キーＫ等）が回動操作されると、ジョイント２７が回動するようになっている。
【００２２】
シリンダー２６についてもう少し詳しく説明すると、シリンダー２６は、図３に示される如く、円筒形状に形成されたシリンダケース２６ａを有しており、そのシリンダケース２６ａには、内周面２６ｂから外周面に貫通する複数のドライバピン孔２６ｃが形成されている。
【００２３】
また、シリンダケース２６ａの外側には、ドライバピン孔２６ｃを閉塞する固定部材２６ｄが固着されている。ドライバピン孔２６ｃには、ドライバピン２６ｅと、そのドライバピン２６ｅをシリンダケース２６ａの内周面２６ｂ方向に付勢するバネ２６ｆとが挿入されている。
【００２４】
さらにまた、シリンダケース２６ａの内周面２６ｂに上記鍵孔１７を有するプラグ２６ｇが回動可能に挿入されており、そのプラグ２６ｇの鍵孔１７には、外周面より直角に貫通する複数のタンブラピン孔２６ｈと、そのタンブラピン孔２６ｈに連通する溝２６ｉ（同様の溝２６ｉ′有り、図１３参照）が形成されている。
【００２５】
タンブラピン孔２６ｈは、各ドライバピン２６ｅに対応しており、そのタンブラピン孔２６ｈ内には、鍵孔１７側に配置されるにタンブラピン２６ｊと、ドライバピン２６ｅ側に配置されるチェンジピン２６ｋとが連続して挿入されている。
【００２６】
溝２６ｉは、鍵孔１７の延在方向に沿って形成されており、後述する第一のチェンジキーＣＫ１等の可変用リブ６７が摺動するようになっている。
【００２７】
一方、プラグ２６ｇの外周面には、ドライバピン孔２６ｃと重なり得る位置に、チェンジピン２６ｋの直径よりも大きい内径寸法をもった収容孔２６ｍ（図１３参照）が形成されている。収容孔２６ｍ（図１３参照）は、チェンジピン２６ｋの厚さにほぼ等しい深さを有しており、チェンジピン２６ｋが収容孔２６ｍ（図１３参照）に収容された際に、そのチェンジピン２６ｋの上面がシャーライン（プラグ２６ｇの外周面）とほぼ一致するようになっている。
【００２８】
尚、シリンダー２６の上記構成においては、鍵孔１７に上記鍵（後述する一般キーＫ等）が挿入されていない場合に、バネ２６ｆに押されたドライバピン２６ｅの先端部分がタンブラピン孔２６ｈに挿入されており、プラグ２６ｇが回動不能となっている。
【００２９】
ジョイント２７は、図２に示される如く、略円柱形状に形成されており、その下部がシリンダー２６に係合した状態で、ジョイント用ガイド穴３８に挿入されている。ジョイント２７の中間には、図４に示されるような切り欠き状のピンガイド部４４が形成されており、ジョイント２７は、そのピンガイド部４４に挿入されるジョイントリテーナ２８によって支持されている。尚、ジョイントリテーナ２８は、ケース２５の外周面４５に形成された孔４６を介してピンガイド部４４に挿入されている。
【００３０】
ジョイント２７の上部には、図５に示されるようなストッパピン２９に対する平面凹部４７と、ボール３０に対する曲面凹部４８とが切り欠き形成されている。つまり、ジョイント２７がジョイント用ガイド穴３８（図２参照）内において回動すると、ストッパピン２９及びボール３０がその位置を水平軸方向（図２及び図５において左右方向）に変えるようになっている。
【００３１】
ストッパピン２９は、図５に示される如く、砲弾形状に形成されており、半球形状の先端部４９が長身部１３の曲面凹部２１（図２参照）や頸部２３（図２参照）に係入するようになっている。また、平坦になった端部５０は、ジョイント２７の上部に形成された平面凹部４７やその外周面に当接するようになっている。
【００３２】
ボール３０は、図５に示される如く、短身部１４の曲面凹部２２に係入するようになっている。また、ジョイント２７の上部に形成された曲面凹部４８やその外周面に当接するようになっている。
【００３３】
一方、ベリメタル３１、３１は、円形略ボタン状に形成されており、図２に示される如く、一側面３９に圧入されて第一横穴４０及び第二横穴４１を閉塞するようになっている。
【００３４】
上記カバーアッシー１９は、図２及び図６に示される如く、挿通孔３５に対して回動可能に挿通されるシャフト５１と、そのシャフト５１に連成されるとともに下端面１６（段部３４）に沿って移動するカバー本体５２とを備えて構成されている。
【００３５】
シャフト５１は、図７に示されるように円柱形状であって、その端部には、後述する他端６１が係止又は当接させられる切り欠き溝５３が形成されている。また、シャフト５１の先端には、切り欠き溝５３を横断するようにピン孔５４、５４が穿設されている。シャフト５１の基端は、カバー本体５２にかしめられている。
【００３６】
カバー本体５２は、図７に示されるような外形形状を有しており、ケース２５（図１参照）の外周面４５（図１参照）側となる縁部には、帯状の鍔部５５が折曲形成されている。また、鍔部５５の端部には、突出部５６が一体に設けられている。
【００３７】
尚、引用符号５７、５８はカバーアッシー１９が回動する際にこれらの部分が段部３４（図８参照）の縁部に当接することによってその回動量を規制される回動規制部を示している（鍔部５５を外周面４５（図１参照）に当接させて回動を規制してもよい）。図示のように、回動規制部５７及び５８（図７参照）は、カバーアッシー１９がシャフト５１を中心に回動したとき、カバー本体を鍵孔を露出させる位置と鍵孔を閉塞する位置とにそれぞれ規制する。
【００３８】
上記捻りバネ２０は、図２に示される如く、コイル部５９と、そのコイル部５９から突出する一端６０と、コイル部５９の周内に配置される他端６１とから成り、その捻りバネ２０が長身部用挿入穴３２に挿入されると、一端６０はバネ係止孔４２に入り込んで錠本体１８側に係止（単に当接であってもよい）されるようになっている。また、コイル部５９には、シャフト５１が挿通されるようになっている。
【００３９】
従って、コイル部５９にシャフト５１を挿通させた後、他端６１を切り欠き溝５３に係止させると、カバーアッシー１９は、捻りバネ２０によって常に鍵孔１７の閉塞位置に付勢され、鍵孔を閉塞する位置にカバー本体が復帰されて保持される。
【００４０】
尚、一例ではあるが、本形態における捻りバネ２０の他端６１の係止構造について説明する。
先ず、コイル部５９にシャフト５１を挿通し、そのシャフト５１の先端にワッシャ６２を挿入する（この時、他端６１は切り欠き溝５３内に入り込んでいるものとする）。次に、第二横穴４１を介してスプリングピン６３をピン孔５４、５４（図７参照）に挿入し、ワッシャ６２が抜け落ちないようにする。これにより、他端６１は切り欠き溝５３から外れることはなく、係止された状態となる。
【００４１】
以上のように構成された可変コード型南京錠１１の作用について説明する。
先ずカバーアッシー１９に係る作用を以下で説明し、その後、シリンダー２６に係る作用を説明することにする。
尚、錠本体１８とつる１２との作用については、既知の作用となるので、ここではその説明を省略する。
【００４２】
カバーアッシー１９に係る作用について説明する。
【００４３】
図８において、可変コード型南京錠１１を操作する際には、先ず鍔部５５又は突出部５６を摘んでカバー本体５２を下端面１６に沿わせるように矢線Ｐ方向にスライドさせる。これにより鍵孔１７が露出するので、続いて鍵（後述する一般キーＫ等）を挿入し操作する。そして、操作後、上記鍵を引き抜き手を離すとカバーアッシー１９が元の位置、即ち鍵孔１７の閉塞位置に復帰する（矢線Ｑ方向参照）。捻りバネ２０は圧縮して配置されているため、カバーアッシー１９は錠本体１８に密着し、隙間が発生しない。
【００４４】
続いて、シリンダー２６に係る作用について説明する。先ず、鍵の構成を説明し、シリンダーの施錠状態、解錠操作及びコード変更操作を順に説明する。
【００４５】
図９において、引用符号Ｋで示される一般キーは、摘み部６４と表裏が対称形状となるキープレート６５とから構成されている。キープレート６５には、凹状に窪んだ複数のコード部６６が二列に並んで形成されており、その一方の列の中心線上に上記溝２６ｉ（図３参照）に対応する可変用リブ６７（図９及び図１０参照）が突設されている。コード部６６は、チェンジピン２６ｋ（図３参照）の上面がシャーライン（プラグ２６ｇ（図３参照）の外周面）とほぼ一致する深さに形成されている。
【００４６】
尚、ここでチェンジキーについて説明する。
図１０において、引用符号ＣＫ４は、第四のチェンジキーを示している。その第四のチェンジキーＣＫ４は、上記一般キーＫ（図９参照）に対し可変用リブ６７の端部６７ａがキープレート６５の先端方向に延びており、その点が一般キーＫ（図９参照）と大きく異なっている。
第四のチェンジキーＣＫ４の可変用リブ６７は、第四のチェンジキーＣＫ４を鍵孔１７（図３参照）に挿入した際、入り口から数えて四番目までのチェンジピン２６ｋ（図３参照）の下面がシャーライン（プラグ２６ｇ（図３参照）の外周面）とほぼ一致するように形成されている。
【００４７】
一方、可変用リブ６７の端部６７ａを図１１中のＬ１で示す位置に配置すれば、第一のチェンジキーＣＫ１になる。また、Ｌ２の位置に配置すれば第二のチェンジキーＣＫ２、Ｌ３の位置に配置すれば第三のチェンジキーＣＫ３になる。可変用リブ６７には、チェンジピン２６ｋ（図３参照）の下面が上記シャーラインとほぼ一致するようにコード部６６が形成されている。
【００４８】
シリンダー２６の施錠状態は、上記一般キーＫ（図９参照）が未だ挿し込まれていないので、バネ２６ｆに押されたドライバピン２６ｅの先端がタンブラピン孔２６ｈに挿入され、チェンジピン２６ｋを介してドライバピン２６ｅに押されたタンブラピン２６ｊの先端部は、鍵孔１７に突出している。
【００４９】
このような施錠状態では、ドライバピン２６ｅが上記シャーラインに突出するので、プラグ２６ｇは回動不能になる（図３参照、一般キーＫを仮想線で描いているので、一般キーＫ等の未挿入状態とは異なる）。
【００５０】
図１２において、鍵孔１７に一般キーＫを挿入すると、その一般キーＫに押されたタンブラピン２６ｊがチェンジピン２６ｋ及びドライバピン２６ｅを押動する。各ドライバピン２６ｅの下面がシャーラインと一致（図１２及び図１３参照）し、プラグ２６ｇが回動可能な解錠状態になる。
【００５１】
この時、一般キーＫの可変用リブ６７は、最も入り口に近いタンブラピン２６ｊに届いていないので、いずれのチェンジピン２６ｋもタンブラピン孔２６ｈの内部に位置している。即ち、タンブラピン２６ｊを可変用リブ６７の高さまで持ち上げないかぎり、チェンジピン２６ｋはドライバピン孔２６ｃに挿入されないことになる。
【００５２】
尚、一般キーＫを鍵孔１７内で傾ける程度では、解錠操作中にキーコードが変更されることはない。
【００５３】
図１４において、シリンダー２６のキーコードを変更する場合（仮に一般キーＫを紛失した場合）には、第一のチェンジキーＣＫ１を鍵孔１７に挿入し、その第一のチェンジキーＣＫ１の可変用リブ６７で入り口から一番目のタンブラピン２６ｊを押動する。
【００５４】
この時、可変用リブ６７に押されたタンブラピン２６ｊがチェンジピン２６ｋを押動し、チェンジピン２６ｋの下面がシャーラインに一致する。これにより、プラグ２６ｇが回動可能になる（図１４及び図１５参照）。
【００５５】
第一のチェンジキーＣＫ１を回動操作すると、図１６に示される如く、チェンジピン２６ｋをドライバピン孔２６ｃに残したままプラグ２６ｇが回動する。そして、収容孔２６ｍがチェンジピン２６ｋと重なったときに、チェンジピン２６ｋが収容孔２６ｍに挿入され、キーコードが変更されるようになる。キーコードが変更されると、一般キーＫが使用不能になり、第一のチェンジキーＣＫ１が次の一般キーとなる。
【００５６】
シリンダー２６のキーコードを更に変更するには、可変用リブ６７の端部６７ａが図１１に示されるＬ２の位置に配置され、入り口から二番目までのタンブラピン２６ｊを押動する第二のチェンジキーＣＫ２を使用すればよい。
【００５７】
また、更に変更するのであれば、第三のチェンジキーＣＫ３、第四のチェンジキーＣＫ４を順に使用すればよい。
【００５８】
以上、図１ないし図１６までを参照しながら説明したように、仮に通常使用しているキー（一般キーＫ）を紛失してしまったとしても、シリンダー２６のキーコードを変更すればよく、チェンジキー（第一のチェンジキーＣＫ１…）の数分だけキーコードの変更が可能であることから、その数までは可変コード型南京錠１１自体を取り替える必要はない。従って、キー（上記鍵）を紛失しても防犯上何ら問題なく使用し続けることができることになる。
また、キーコードの変更は、チェンジキー（第一のチェンジキーＣＫ１…）により短時間で処置できるようになるから、警備面での負担が大幅に軽減されることになる。
【００５９】
また、カバーアッシー１９が錠本体１８の下端面１６側にスライド可能に配設されて鍵孔１７を閉塞することから、埃や水分の浸入を防ぐことができる。これにより、シリンダー２６以ては可変コード型南京錠１１自体の耐久性が向上し、屋外でも長く使用することができるようになる。
鍵孔１７から鍵（上記一般キーＫ等）を引き抜いた後に、カバーアッシー１９が捻りバネ２０の付勢力によって確実に鍵孔１７に対する閉塞位置に復帰することから、使用の際に煩わしさを感じるようなことはない。
【００６０】
尚、長身部用挿入穴３２に挿通孔３５を連通させ、長身部用挿入穴３２をカバー本体５２の回動中心となるシャフト５１と捻りバネ２０の収納に利用したことや、段部３４の縁部３４ａをシリンダ収容室３６の開口３６ａの縁部の一部に沿って形成したこと等からも分かるように、製造性のよい可変コード型南京錠である。
【００６１】
その他、本発明は本発明の主旨を変えない範囲で種々変更実施可能なことは勿論である。
即ち、上記カバーアッシー１９を設けない構成の可変コード型南京錠も当然に提供することができるものとする。
【００６２】
尚、例えば上記ワッシャ６２を下端面１６側に移動しないよう、その位置を適宜手段で固定して、ワッシャ６２の上に別のスプリングを設ければ、つる１２を突出方向に付勢することができる。
【００６４】
【発明の効果】
以上説明したように、請求項１に記載された本発明によれば、仮に通常使用しているキーを紛失してしまったとしても、シリンダーのキーコードを変更すればよく、チェンジキーの数分だけキーコードの変更が可能であることから、その数までは可変コード型南京錠自体を取り替える必要はない。また、キーコードの変更は、チェンジキーにより短時間で処置できるようになるから、警備面での負担が大幅に軽減されることになる。
従って、キーを紛失しても防犯上何ら問題なく使用し続けることができ、以て取り替えに係る費用の削減や警備面の負担軽減がなされる可変コード型南京錠を提供することができるという効果を奏する。
【００６５】
また、錠本体は、バネの付勢力によりスライドしてシリンダーの鍵孔を閉塞するカバー部材を有していることから、埃や水分の浸入が阻止されることになる。これにより、可変コード型南京錠自体の耐久性が向上し、屋外でも長く使用することができるという効果を奏する。
さらに、鍵孔から鍵を引き抜いた後に、カバーアッシーが捻りバネの付勢力によって確実に鍵孔に対する閉塞位置に復帰することから、使用の際に煩わしさを感じるようなことはない。
さらにまた、長身部用挿入穴に挿通孔を連通させ、長身部用挿入穴をカバー本体の回動中心となるシャフトと捻りバネの収納に利用したことや、段部の縁部をシリンダ収容室の開口の縁部の一部に沿って形成したことにより、製造性のよい可変コード型南京錠が得られる。」
【図面の簡単な説明】
【図１】本発明による可変コード型南京錠の一実施の形態を示す図面であり、（ａ）は可変コード型南京錠の平面図、（ｂ）は可変コード型南京錠の正面図、（ｃ）は可変コード型南京錠の左側面図、（ｄ）は可変コード型南京錠の右側面図、（ｅ）は可変コード型南京錠の底面図である。
【図２】図１（ａ）のＡ−Ａ線断面図である。
【図３】図２のシリンダーの線断面図である。
【図４】図２のＣ−Ｃ線断面図である。
【図５】図２のＤ−Ｄ線断面図である。
【図６】図１（ｂ）のＥ−Ｅ線断面図である。
【図７】カバーアッシーを示す図面であり、（ａ）は正面図、（ｂ）は側面図、（ｃ）は背面図である。
【図８】カバーアッシーを回動させた際の可変コード型南京錠の底面図である。
【図９】通常使用される一般キーの正面図である。
【図１０】図９の一般キーの底面図である。
【図１１】チェンジキーの正面図である。
【図１２】一般キーを挿入した状態を示すシリンダーの断面図である。
【図１３】図１２のＦ−Ｆ線断面図である。
【図１４】第一のチェンジキーを挿入した状態を示すシリンダーの断面図である。
【図１５】図１４のＧ−Ｇ線断面図である。
【図１６】図１５においてプラグを回動させた状態を示すシリンダーの断面図である。
【符号の説明】
Ｋ              一般キー
ＣＫ１          第一のチェンジキー
ＣＫ４          第四のチェンジキー
１１            可変コード型南京錠
１２            つる
１３            長身部
１４            短身部
１５            上端面
１６            下端面
１７            鍵孔
１８            錠本体
１９            カバーアッシー（カバー部材）
２０            捻りバネ（バネ）
２１、２２      曲面凹部
２３            頸部
２４            摺動面
２５            ケース
２６            シリンダー
２６ａ          シリンダケース
２６ｂ          内周面
２６ｃ          ドライバピン孔
２６ｄ          固定部材
２６ｅ          ドライバピン
２６ｆ          バネ
２６ｇ          プラグ
２６ｈ          タンブラピン孔
２６ｉ          溝
２６ｊ          タンブラピン
２６ｋ          チェンジピン
２６ｍ          収容孔
２７            ジョイント
２８            ジョイントリテーナ
２９            ストッパピン
３０            ボール
３１            ベリメタル
３２            長身部用挿入穴
３３            短身部用挿入穴
３４            段部
３５            挿通孔
３６            シリンダー収容室
３７            ねじ孔
３８            ジョイント用ガイド穴
３９            一側面
４０            第一横穴
４１            第二横穴
４２            バネ係止孔
４３            ねじ
４４            ピンガイド部
４５            外周面
４６            孔
４７            平面凹部
４８            曲面凹部
４９            先端部
５０            端部
５１            シャフト
５２            カバー本体
５３            切り欠き溝
５４            ピン孔
５５            鍔部
５６            突出部
５７、５８      回動規制部
５９            コイル部
６０            一端
６１            他端
６２            ワッシャ
６３            スプリングピン
６４            摘み部
６５            キープレート
６６            コード部
６７            可変用リブ
６７ａ          端部
【図１】
0003919146.tif 000002
【図２】
0003919146.tif 000003
【図３】
0003919146.tif 000004
【図４】
0003919146.tif 000005
【図５】
0003919146.tif 000006
【図６】
0003919146.tif 000007
【図７】
0003919146.tif 000008
【図８】
0003919146.tif 000009
【図９】
0003919146.tif 000010
【図１０】
0003919146.tif 000011
【図１１】
0003919146.tif 000012
【図１２】
0003919146.tif 000013
【図１３】
0003919146.tif 000014
【図１４】
0003919146.tif 000015
【図１５】
0003919146.tif 000016
【図１６】
0003919146.tif 000017